(57)【要約】【課題】  イニシャルコストを低減しつつ、建物内の空間の温度を制御する。【解決手段】  第１空間３と、第１空間３よりも容積が小さい少なくとも１つの第２空間４とを含む建物の空調システム１である。空調システム１は、チャンバー１２を含む。チャンバー１２の入口２３に供給された空調空気Ａ４は、第１方向Ｄ１に流れるように形成されている。チャンバー１２の出口２４は、第１出口２４Ａと、少なくとも１つの第２出口２４Ｂとを含む。第２出口２４Ｂは、第１方向Ｄ１の下流側の端部に設けられている。第１出口２４Ａは、第２出口２４Ｂよりも第１方向Ｄ１の上流側かつ第１方向Ｄ１と交差する向きに空調空気Ａ４を排出するように設けられている。第２出口２４Ｂは、ダンパー３０を有する空気経路２８を介して第２空間４に連通する。第１出口２４Ａは、ダンパー３０を有することなく第１空間３と連通している。【選択図】図１
2020165606.tif 000002
【特許請求の範囲】
【請求項１】
第１空間と、前記第１空間よりも容積が小さい少なくとも１つの第２空間とを含む建物の空調システムであって、
空気調和機と、
入口及び複数の出口が設けられたチャンバーと、
前記空気調和機で熱交換された空調空気を前記チャンバーの前記入口へ供給するためのファンとを含み、
前記チャンバーは、前記入口に供給された前記空調空気が、前記チャンバーの内部で、予め定められた第１方向に流れるように形成されており、
前記チャンバーの出口は、前記第１空間に前記空調空気を供給するための第１出口と、前記第２空間に前記空調空気を供給するための少なくとも１つの第２出口とを含み、
前記第２出口は、前記チャンバーの前記第１方向の下流側の端部に設けられており、
前記第１出口は、前記第２出口よりも前記第１方向の上流側かつ前記第１方向と交差する向きに前記空調空気を排出するように設けられており、
前記第２出口は、前記空調空気の風量を調節可能なダンパーを有する空気経路を介して前記第２空間に連通し、
前記第１出口は、前記ダンパーを有することなく前記第１空間と連通している、
空調システム。
【請求項２】
前記チャンバーは、前記第１方向の長さが相対的に大きい長尺体である、請求項１記載の空調システム。
【請求項３】
前記ダンパーを調節するための制御装置をさらに含み、
前記制御装置は、前記第２空間の温度が、予め設定された目標温度になったときに、前記風量を絞り、これにより、前記第１空間への前記空調空気の風量を増加させる、請求項１又は２に記載の空調システム。
【請求項４】
前記チャンバーは、前記ダンパーを全開したときに、前記少なくとも１つの第２出口の有効開口面積が、前記第１出口の有効開口面積よりも小さい、請求項１ないし３のいずれかに記載の空調システム。
【請求項５】
前記建物が住宅であり、
前記第１空間がリビングルームであり、前記第２空間は洗面所を含む、請求項１ないし４のいずれかに記載の空調システム。
【請求項６】
前記チャンバーは、前記第１出口の開口面積を調節可能な開閉手段を含む、請求項１ないし５のいずれかに記載の空調システム。
【請求項７】
前記チャンバーは、前記開閉手段及び前記ダンパーを全開したときに、前記少なくとも１つの第２出口の有効開口面積が、前記第１出口の有効開口面積よりも小さい、請求項６記載の空調システム。
【請求項８】
前記開閉手段は、前記第１出口の少なくとも一部を覆う第１状態と、前記第１状態よりも前記第１出口を露出させる第２状態とに切り替え可能な少なくとも１枚の遮蔽部を含む、請求項６又は７記載の空調システム。
【請求項９】
前記遮蔽部は、板状に形成され、かつ、前記第１出口の開口面に沿って複数並べて配置されており、
前記遮蔽部は、前記開口面に対して傾斜可能である、請求項８記載の空調システム。
【請求項１０】
前記遮蔽部は、前記第１出口の開口面に沿ってスライド可能である、請求項８記載の空調システム。
【発明の詳細な説明】
【技術分野】
【０００１】
本発明は、建物を空調するためのシステムに関する。
【背景技術】
【０００２】
下記特許文献１は、複数の居室を空調するための空調装置を提案している。この空調装置は、空調された空気を生成する空気調和機と、この空調された空気の各居室への供給量を調節するための複数のダンパー付の流路とを含んで構成されている。
【先行技術文献】
【特許文献】
【０００３】
【特許文献１】特開２０１７−１１６１１３号公報
【発明の概要】
【発明が解決しようとする課題】
【０００４】
上記の空調装置は、各居室の温度を制御することができるが、空調装置の導入に必要なイニシャルコストの低減については、改善の余地があった。
【０００５】
一方、イニシャルコストを低減するために、例えば、ダンパーの数を減らすことが考えられる。しかしながら、ダンパーの数を減らすと、空調された空気の供給量を調節することが困難になり、各居室を予め設定された温度に制御できないという問題があった。
【０００６】
本発明は、以上のような実状に鑑み案出されたもので、イニシャルコストを低減しつつ、建物内の空間の温度を制御することが可能な空調システムを提供することを主たる目的としている。
【課題を解決するための手段】
【０００７】
本発明は、第１空間と、前記第１空間よりも容積が小さい少なくとも１つの第２空間とを含む建物の空調システムであって、空気調和機と、入口及び複数の出口が設けられたチャンバーと、前記空気調和機で熱交換された空調空気を前記チャンバーの前記入口へ供給するためのファンとを含み、前記チャンバーは、前記入口に供給された前記空調空気が、前記チャンバーの内部で、予め定められた第１方向に流れるように形成されており、前記チャンバーの出口は、前記第１空間に前記空調空気を供給するための第１出口と、前記第２空間に前記空調空気を供給するための少なくとも１つの第２出口とを含み、前記第２出口は、前記チャンバーの前記第１方向の下流側の端部に設けられており、前記第１出口は、前記第２出口よりも前記第１方向の上流側かつ前記第１方向と交差する向きに前記空調空気を排出するように設けられており、前記第２出口は、前記空調空気の風量を調節可能なダンパーを有する空気経路を介して前記第２空間に連通し、前記第１出口は、前記ダンパーを有することなく前記第１空間と連通していることを特徴とする。
【０００８】
本発明に係る前記空調システムにおいて、前記チャンバーは、前記第１方向の長さが相対的に大きい長尺体であってもよい。
【０００９】
本発明に係る前記空調システムにおいて、前記ダンパーを調節するための制御装置をさらに含み、前記制御装置は、前記第２空間の温度が、予め設定された目標温度になったときに、前記風量を絞り、これにより、前記第１空間への前記空調空気の風量を増加させてもよい。
【００１０】
本発明に係る前記空調システムにおいて、前記チャンバーは、前記ダンパーを全開したときに、前記少なくとも１つの第２出口の有効開口面積が、前記第１出口の有効開口面積よりも小さくてもよい。
【００１１】
本発明に係る前記空調システムにおいて、前記建物が住宅であり、前記第１空間がリビングルームであり、前記第２空間は洗面所を含んでもよい。
【００１２】
本発明に係る前記空調システムにおいて、前記チャンバーは、前記第１出口の開口面積を調節可能な開閉手段を含んでもよい。
【００１３】
本発明に係る前記空調システムにおいて、前記チャンバーは、前記開閉手段及び前記ダンパーを全開したときに、前記少なくとも１つの第２出口の有効開口面積が、前記第１出口の有効開口面積よりも小さくてもよい。
【００１４】
本発明に係る前記空調システムにおいて、前記開閉手段は、前記第１出口の少なくとも一部を覆う第１状態と、前記第１状態よりも前記第１出口を露出させる第２状態とに切り替え可能な少なくとも１枚の遮蔽部を含んでもよい。
【００１５】
本発明に係る前記空調システムにおいて、前記遮蔽部は、板状に形成され、かつ、前記第１出口の開口面に沿って複数並べて配置されており、前記遮蔽部は、前記開口面に対して傾斜可能であってもよい。
【００１６】
本発明に係る前記空調システムにおいて、前記遮蔽部は、前記第１出口の開口面に沿ってスライド可能であってもよい。
【発明の効果】
【００１７】
本発明の空調システムは、空気調和機で熱交換された空調空気が供給されるチャンバーの第２出口を、それぞれ、前記空調空気の風量を調節可能なダンパーを有する空気経路を介して第２空間に連通させ、前記チャンバーの第１出口を、前記ダンパーを有することなく第１空間に連通させているため、前記ダンパーの数を減らすことができる。したがって、本発明によれば、前記空調システムの導入に必要なイニシャルコストを低減することができる。
【００１８】
また、本発明では、前記第２空間への前記空調空気の風量を前記ダンパーで絞ることにより、その前記空調空気の風量の減少分を、前記第１空間への前記空調空気の風量に充てることができる。したがって、本発明によれば、前記ダンパーの数を減らしても、前記第１空間及び前記第２空間への前記空調空気の風量を調節することができるため、前記第１空間及び前記第２空間の温度を制御することが可能になる。
【図面の簡単な説明】
【００１９】
【図１】空調システムを利用した建物の一例を示す概念図である。
【図２】チャンバーの一例を示す斜視図である。
【図３】図２の断面図である。
【図４】空調システムの処理手順の一例を示すフローチャートである。
【図５】本発明の他の実施形態の空調システムの処理手順の一例を示すフローチャートである。
【図６】微調節ステップの処理手順の一例を示すフローチャートである。
【図７】本発明の他の実施形態のチャンバーを示す部分斜視図である。
【図８】本発明のさらに他の実施形態のチャンバーの一例を示す斜視図である。
【図９】（ａ）は、実施例の第１空間の温度と時間との関係を示すグラフ、（ｂ）は、実施例の第２空間の温度と時間との関係を示すグラフである。
【図１０】（ａ）は、比較例１の第１空間の温度と時間との関係を示すグラフ、（ｂ）は、比較例１の第２空間の温度と時間との関係を示すグラフである。
【図１１】（ａ）は、比較例２の第１空間の温度と時間との関係を示すグラフ、（ｂ）は、比較例２の第２空間の温度と時間との関係を示すグラフである。
【発明を実施するための形態】
【００２０】
以下、本発明の実施の一形態が図面に基づき説明される。なお、各図面は、発明の内容の理解を高めるためのものであり、誇張された表示が含まれる他、各図面間において、縮尺等は厳密に一致していない点が予め指摘される。
【００２１】
図１は、空調システム１を利用した建物（住宅）２の一例を示す概念図である。建物２としては、住宅である場合が例示されているが、ビル等であってもよい。建物２は、第１空間３と、第１空間３よりも容積が小さい少なくとも１つの第２空間４とを含んでいる。
【００２２】
本実施形態の第１空間３は、リビングルーム５である。一般に、リビングルーム５は、建物２内の他の空間に比べて、居住者の滞在時間が長くなる傾向がある。なお、第１空間３は、第２空間４よりも容積が大きければ、リビングルーム５に限定されない。
【００２３】
第２空間４は、第１空間３よりも小さい空間であれば、適宜選択することができる。本実施形態の第２空間４は、洗面所６を含んでいる。さらに、本実施形態の第２空間４は、客間（和室）７を含んでいる。一般に、洗面所６及び客間７は、リビングルーム５に比べて、居住者の滞在時間が短く、熱負荷変動が大きい傾向がある。本実施形態の第２空間４には、例えば、図示しない寝室や子供部屋等が含まれてもよい。
【００２４】
空調システム１は、空気調和機１１と、チャンバー１２と、ファン１３とを含んで構成されている。本実施形態において、空気調和機１１及びファン１３は、筐体１４の内部に収容されているが、このような態様に限定されない。
【００２５】
本実施形態の筐体１４は、床の上に設置されている。なお、筐体１４の設置場所は、特に限定されるわけではなく、例えば、床の下の空間（床下空間９）に設置されてもよいし、小屋裏に設けられてもよい。また、筐体１４は、１階の床の上に設置されているが、例えば、２階以上の上階の床（図示省略）の上に設置されても良い。
【００２６】
筐体１４は、その内部にスペース（空間）を有する箱状に形成されている。この筐体１４の内部に、空気調和機１１及びファン１３が収容されている。本実施形態の筐体１４には、給気口（図示省略）及び外気取込口１６が設けられているが、給気口及び外気取込口１６のいずれか一方のみが設けられてもよい。
【００２７】
給気口（図示省略）は、第１空間３及び第２空間４等を循環した空気Ａ３を、筐体１４の内部に供給するためのものである。給気口は、建物２内の空間と、筐体１４の内部との間を連通している。
【００２８】
外気取込口１６は、筐体１４の内部に、外気Ａ１（床下空気Ａ２）を取り込むためのものである。本実施形態の外気取込口１６には、ダクト１７が接続されている。このダクト１７は、筐体１４の内部と、床下空間９（図１に示す）とを連通させている。これにより、外気取込口１６は、床下空間９及びダクト１７を介して、筐体１４の内部に、外気Ａ１（床下空気Ａ２）を取り込むことができる。
【００２９】
ダクト１７には、床下空気Ａ２（外気Ａ１）を、外気取込口１６側に送るための外気供給ファン１８が設けられている。外気供給ファン１８の風量については、適宜設定することができ、例えば、建物２に必要な換気回数に基づいて設定されるのが望ましい。本実施形態では、床下空間９を介して、外気Ａ１（床下空気Ａ２）が取り込まれているが、屋外から外気Ａ１が直接取り込まれてもよい。
【００３０】
本実施形態の空気調和機１１としては、一般的な家庭用のセパレート型エアコンである場合が例示される。空気調和機１１は、室内機１１Ａと、建物２の外部に設置された室外機（図示省略）とをセットとして含んでいる。室内機１１Ａは、吸込口２１と吐出口２２とを有している。吸込口２１は、室内機１１Ａの内部の熱交換器（図示省略）に、空気を取り込むためのものである。吐出口２２は、熱交換された空調空気Ａ４を吐出するためのものである。
【００３１】
室内機１１Ａの吸込口２１の近傍（本実施形態では、吸込口２１の上方）には、給気口（図示省略）及び外気取込口１６が設けられている。これにより、空気調和機１１は、空間（例えば、第１空間３及び第２空間４等）を循環した空気Ａ３と、床下空気Ａ２（外気Ａ１）との混合気を空調することができるため、建物２の内部に空気を循環させながら、建物２の内部を換気及び空調することができる。
【００３２】
空調空気Ａ４は、筐体１４の内部に設けられたフィルター（図示省略）によって浄化されてもよい。これにより、空調システム１は、浄化された空気を、第１空間３及び第２空間４に供給することができる。
【００３３】
ファン１３は、空調空気Ａ４を、チャンバー１２の入口２３に供給するためのものである。本実施形態のファン１３は、空気調和機１１とは別に設けられているため、空気調和機１１とファン１３とを個別にメンテナンスすることができる。
【００３４】
本実施形態のファン１３は、空調空気Ａ４を、ダクト２６を介して、チャンバー１２の入口２３に供給している。ファン１３としては、例えば、シロッコファンを採用することができるが、このような態様に限定されない。本実施形態では、一つのファン１３で構成されているが、複数のファン１３で構成されていてもよい。ファン１３の風量については、適宜設定することができ、例えば、建物２に必要な換気回数等に基づいて設定されるのが望ましい。
【００３５】
図２は、チャンバー１２の一例を示す斜視図である。図３は、図２の断面図である。チャンバー１２は、その内部にスペース（空間）を有する箱状に形成されている。本実施形態のチャンバー１２は、上板１２ａ、下板１２ｂ、及び、上板１２ａと下板１２ｂとを継ぐ側板１２ｃとを含んで構成されており、断面略矩形状に形成されている。図１に示されるように、本実施形態のチャンバー１２は、１階の天井の上の空間（小屋裏）に設置されているが、特に限定されるわけではなく、例えば、床下空間９等に設置されてもよい。
【００３６】
図２及び図３に示されるように、チャンバー１２には、入口２３及び複数の出口２４が設けられている。チャンバー１２は、入口２３に供給された空調空気Ａ４が、チャンバー１２の内部で、予め定められた第１方向Ｄ１に流れるように形成されている。図２に示されるように、チャンバー１２は、第１方向Ｄ１への空調空気Ａ４の流れを形成するために、第１方向Ｄ１の長さＬ１が相対的に大きい長尺体に形成されるのが望ましい。本実施形態の第１方向Ｄ１の長さＬ１は、第１方向Ｄ１と直交する向き（以下、単に「第２方向Ｄ２」及び「第３方向Ｄ３」ということがある。）の長さＬ２及びＬ３に比べて大きく形成されている。
【００３７】
図２及び図３に示されるように、入口２３は、チャンバー１２の第１方向（空調空気Ａ４の流れる方向）Ｄ１の上流側に設けられている。本実施形態の入口２３は、チャンバー１２の上板１２ａに設けられているが、下板１２ｂや側板１２ｃに設けられても良い。上述したように、入口２３は、ダクト２６を介して、ファン１３（図１に示す）に接続されている。これにより、チャンバー１２には、空気調和機１１で熱交換された空調空気Ａ４が、ファン１３及びダクト２６を介して供給される。
【００３８】
図２に示されるように、複数の出口２４は、第１出口２４Ａと、少なくとも１つの第２出口２４Ｂとを含んで構成されている。
【００３９】
第１出口２４Ａは、第１空間３（図１に示す）に空調空気Ａ４を供給するためのものである。第１出口２４Ａは、第２出口２４Ｂ、２４Ｂよりも第１方向Ｄ１の上流側に設けられている。さらに、本実施形態の第１出口２４Ａは、第１方向Ｄ１と交差する向き（本例では、第２方向Ｄ２）に配された側板１２ｃに設けられている。これにより、第１出口２４Ａは、第１方向Ｄ１に流れる空調空気Ａ４を、第１方向Ｄ１と交差する向き（第２方向Ｄ２）に排出することができる。本実施形態の第１出口２４Ａは、側板１２ｃに設けられる態様が例示されたが、第１方向Ｄ１と交差する向き（本例では、第３方向Ｄ３）に配された上板１２ａ及び下板１２ｂに設けられてもよい。
【００４０】
第１出口２４Ａは、第２出口２４Ｂに設けられるようなダンパー３０を有することなく、第１空間３と連通している。このため、空調システム１は、ダンパー３０の数を減らすことができるため、空調システム１の導入に必要なイニシャルコストを低減することができる。
【００４１】
本実施形態の第１出口２４Ａは、覆い部３４を介して、第１空間３の開口部３３と連通しているが、第１出口２４Ａは、第１空間３に面して設けられてもよい。このような第１出口２４Ａは、空調空気Ａ４を、第１空間３に直接供給することができるため、第１出口２４Ａと第１空間３との間に、ダクト等の空気経路等（図示省略）を設ける必要がない。したがって、空調システム１の導入に必要なイニシャルコストを低減することができる。なお、第１出口２４Ａと第１空間３とが離間している場合には、第１出口２４Ａと第１空間３との間に、ダクト等の空気経路が設けられてもよい。
【００４２】
上述したように、図１に示した第１空間３（本例では、リビングルーム５）は、各第２空間４（本例では、洗面所６及び客間７）に比べて容積が大きい。このような第１空間３に多くの空調空気Ａ４を供給できるように、第１出口２４Ａの有効開口面積は、少なくとも１つの第２出口２４Ｂの有効開口面積よりも大きく設定されてもよい。なお、本実施形態のように、複数の第２出口２４Ｂ、２４Ｂが設けられている場合、第１出口２４Ａの有効開口面積は、個々の第２出口２４Ｂの有効開口面積よりも大きく設定される。また、第１出口２４Ａの有効開口面積、及び、第２出口２４Ｂの有効開口面積については、例えば、第１空間３及び第２空間４の容積等に基づいて、適宜設定することができる。
【００４３】
第２出口２４Ｂは、第２空間４（図１に示す）に空調空気Ａ４を供給するためのものである。本実施形態では、複数の第２空間４（本例では、図１に示した洗面所６及び客間７）のそれぞれに空調空気Ａ４を供給するために、２つの第２出口２４Ｂ、２４Ｂが設けられている。なお、空調空気Ａ４が供給される第２空間４の個数に応じて、３つ以上の第２出口２４Ｂが設けられてもよい。
【００４４】
各第２出口２４Ｂ、２４Ｂは、チャンバー１２の第１方向（空調空気Ａ４の流れる方向）Ｄ１の下流側の端部２７に設けられている。本実施形態の第２出口２４Ｂ、２４Ｂは、第１方向Ｄ１と交わる側板１２ｃにそれぞれ設けられている。このような第２出口２４Ｂ、２４Ｂは、チャンバー１２の内部で第１方向Ｄ１に流れる空調空気Ａ４を、第１方向Ｄ１に沿って排出することができる。したがって、第２出口２４Ｂ、２４Ｂは、空調空気Ａ４を第１方向Ｄ１と交差する向き（本例では、第２方向Ｄ２）に屈曲させて排出する第１出口２４Ａに比べて、空調空気Ａ４をスムーズに排出することができる。これにより、本実施形態のチャンバー１２は、開口面積が大きい第１出口２４Ａから、空調空気Ａ４が優先的に排出されるのを防ぐことが可能となる。
【００４５】
各第２出口２４Ｂ、２４Ｂは、それぞれ、空気経路（本例では、ダクト）２８、２８を介して、各第２空間４、４（図１に示す）に連通している。これらの空気経路２８、２８には、空調空気Ａ４の風量を調節可能なダンパー３０をそれぞれ有している。本実施形態のダンパー３０は、例えば、電動モータ３０ａによって駆動する電動ダンパーである場合が例示されるが、空調空気Ａ４の風量を調節可能なものであれば、このような態様に限定されない。
【００４６】
ダンパー３０は、その開度（開口面積）が大きくなるほど、空調空気Ａ４の供給量を大きくすることができる。本実施形態のダンパー３０は、少なくとも、第１開度と、第１開度よりも小さい第２開度とに調節可能に構成されている。
【００４７】
第１開度及び第２開度については、適宜設定することができる。本実施形態の第１開度は、ダンパー３０を全開したときの開度（９０％〜１００％）に設定されている。一方、第２開度は、建物２（図１に示す）に必要な換気回数を考慮して、換気可能な開度（例えば、２％〜１０％）に設定されるのが望ましい。なお、ダンパー３０は、互いに異なる３つ以上の開度に設定可能なものが採用されてもよい。
【００４８】
本実施形態のチャンバー１２は、ダンパー３０を全開（第１開度に設定）したときに、少なくとも１つの第２出口２４Ｂの有効開口面積が、第１出口２４Ａの有効開口面積よりも小さく設定されている。なお、本実施形態のように、複数の第２出口２４Ｂ、２４Ｂが設けられている場合には、個々の第２出口２４Ｂ、２４Ｂの有効開口面積が、第１出口２４Ａの有効開口面積よりも小さく設定される。これにより、空調システム１は、ダンパー３０を全開したときに、第１空間３への空調空気Ａ４の供給が低下するのを防ぐことができる。
【００４９】
図１に示されるように、空調システム１は、ダンパー３０の開度を調節するための制御装置３１を含んでいる。制御装置３１は、ＣＰＵ（中央演算装置）からなる演算部（図示省略）と、制御手順が予め記憶されている記憶部（図示省略）と、記憶部から制御手順を読み込む作業用メモリ（図示省略）とを含んで構成されている。このような制御装置３１は、例えば、間仕切り壁等に設置されている。
【００５０】
制御装置３１には、ダンパー３０（図２に示した電動モータ３０ａ）が接続されている。これにより、本実施形態の制御装置３１は、ダンパー３０に信号を伝達することで、ダンパー３０の開度を調節することができる。本実施形態の制御装置３１には、例えば入力手段（図示省略）を介して、建物２内の空間（第１空間３及び第２空間４）の目標温度が入力される。これらの目標温度、及び、予め定められた手順に基づいて、制御装置３１は、ダンパー３０の開度を調節している。
【００５１】
制御装置３１には、空気調和機１１、ファン１３及び外気供給ファン１８が接続されていてもよい。これにより、制御装置３１は、これらの運転を制御することができる。
【００５２】
本実施形態の制御装置３１には、第１空間３の温度、及び、第２空間４、４の温度を検出するための温度検出手段（図示省略）が、それぞれ接続されている。これにより、制御装置３１は、各温度検出手段に信号を伝達することにより、第１空間３及び第２空間４、４の温度を検出させ、かつ、それらの検出結果を制御装置３１に伝達させることができる。
【００５３】
図４は、空調システム１の処理手順（以下、単に「空調方法」ということがある。）の一例を示すフローチャートである。この処理手順は、制御装置３１（図１に示す）に記憶されている制御手順に基づいて実施される。
【００５４】
本実施形態の空調システム（空調方法）では、先ず、制御装置３１が、建物２の空調を開始する（ステップＳ１）。本実施形態のステップＳ１では、先ず、制御装置３１が、空気調和機１１、ファン１３及び外気供給ファン１８の運転を開始する。本実施形態のステップＳ１では、居住者が制御装置３１に入力した目標温度等に基づいて、空気調和機１１の設定温度や、ファン１３及び外気供給ファン１８の風量等が設定される。
【００５５】
さらに、ステップＳ１では、図２に示した各ダンパー３０の開度が全開（本例では、第１開度）に設定される。上述したように、本実施形態のチャンバー１２は、ダンパー３０を全開したときに、各第２出口２４Ｂ、２４Ｂの有効開口面積を、第１出口２４Ａの有効開口面積よりも小さくすることができる。したがって、ステップＳ１では、チャンバー１２に供給された空調空気Ａ４を、各第２空間４、４に優先的に供給しつつ、第１空間３への供給が低下するのを防ぐことができる。
【００５６】
各第２空間４、４は、第１空間３に比べて容積が小さい。このような第２空間４、４に、空調空気Ａ４が優先的に供給されるため、空調システム１は、滞在時間が短く、かつ、熱負荷変動が大きい各第２空間４、４の温度を、目標温度に早期に到達させることができる。
【００５７】
次に、本実施形態の空調システム（空調方法）では、制御装置３１が、第２空間４の温度が、予め設定された目標温度になったか否かを判断する（ステップＳ２）。ステップＳ２では、先ず、各第２空間４のそれぞれについて、温度検出手段（図示省略）で検出された温度（以下、単に「検出温度」ということがある。）と、目標温度との差（以下、単に「温度差」ということがある。）が求められる。空気調和機１１が暖房運転している場合には、目標温度から検出温度を減じることによって、温度差が求められる。一方、空気調和機１１が冷房運転している場合には、検出温度から目標温度を減じることによって、温度差が求められる。
【００５８】
次に、本実施形態のステップＳ２では、制御装置３１が、温度差が予め定められた第１閾値よりも小であるか否かを判断する。第１閾値は、第２空間４の温度が、目標温度になったか否かを判断するためのものである。第１閾値については、適宜設定することができる。本実施形態の第１閾値は、−１℃に設定される。このような第１閾値は、温度差と比較されることにより、暖房時の第２空間４の温度が目標温度よりも高くなったか否か、又は、冷房時の第２空間４の温度が目標温度よりも低くなったか否かを判断することができる。したがって、第１閾値は、第２空間４の温度が、目標温度になったか否かを確実に判断することができる。
【００５９】
ステップＳ２において、温度差が第１閾値（本例では、−１℃）よりも小である場合、第２空間４の温度が目標温度になっている（ステップＳ２で「Ｙ」）。この場合、第２空間４への空調空気Ａ４の風量を絞り、第１空間３への空調空気Ａ４の風量を増加させるステップＳ３が実施される。
【００６０】
ステップＳ３では、制御装置３１が、ダンパー３０の開度を小さく設定する。本実施形態では、ダンパー３０の開度が第２開度（例えば、４％）に設定される。これにより、第２空間４への空調空気Ａ４の風量が絞られる。なお、ステップＳ３では、複数の第２空間４のうち、目標温度になった第２空間４への風量のみが絞られるのが望ましい。これにより、目標温度になっていない他の第２空間４の風量が維持されるため、第２空間４の温度を目標温度に早期に到達させることができる。
【００６１】
ステップＳ３では、第２空間４への空調空気Ａ４の風量の減少分を、第１空間３への空調空気Ａ４の風量に充てることができる。これにより、第１空間３への空調空気Ａ４の風量を増加させることができる。したがって、本実施形態の空調システム１では、ダンパー３０の数を減らしても、第１空間３及び第２空間４への空調空気Ａ４の風量を調節することができるため、第１空間３及び第２空間４の温度を制御することができる。
【００６２】
上述したように、各第２空間４、４は、第１空間よりも容積が小さいため、目標温度に早期に到達する。このため、本実施形態の空調システム１は、第２空間４の温度が目標温度になった後に、第１空間３への空調空気Ａ４の風量を迅速に増加させることができるため、第１空間３の空調が低下するのを抑制しうる。したがって、本実施形態の空調システム１は、第１空間３及び各第２空間４、４の双方を、効果的に空調することができる。
【００６３】
一方、ステップＳ２において、温度差が第１閾値（本例では、−１℃）以上である場合、第２空間４の温度が目標温度になっていない可能性が高い（ステップＳ２で「Ｎ」）。この場合、制御装置３１が、第２空間４への空調空気の風量を増加させる（ステップＳ４）。
【００６４】
本実施形態のステップＳ４では、制御装置３１が、ダンパー３０の開度を第１開度（例えば、１００％）に設定する。なお、ダンパー３０の開度が既に第１開度に設定されている場合には、その開度が維持される。ステップＳ４では、各第２空間４、４のうち、目標温度になっていない第２空間４への風量のみを増加させるのが望ましい。これにより、空調システムは、第２空間４の温度が目標温度になるまで、第２空間４に空調空気Ａ４の風量を大きくすることができるため、第２空間４を効果的に空調することができる。
【００６５】
次に、本実施形態の空調システム（空調方法）では、制御装置３１が、空調システム１の停止命令があるか否かを判断する（ステップＳ５）。停止命令は、例えば、居住者によって制御装置３１に入力される。
【００６６】
ステップＳ５において、停止命令があると判断された場合（ステップＳ５で「Ｙ」）、制御装置３１が空調システム（空調方法）１を停止させる（ステップＳ６）。一方、ステップＳ５において、停止命令がないと判断された場合（ステップＳ５で「Ｎ」）、制御装置３１がステップＳ２〜ステップＳ５を再度実施する。
【００６７】
このように、本実施形態の空調システム（空調方法）１では、停止命令があるまで、第１空間３及び各第２空間４、４への空調空気Ａ４の風量を調節することができるため、第１空間３及び各第２空間４、４の温度の制御を、継続して行うことができる。
【００６８】
これまでの実施形態の空調システム１では、各第２空間４、４の温度と、目標温度との温度差に基づいて、ダンパー３０の開度が２つの開度（第１開度及び第２開度）に設定される場合が例示されたが、このような態様に限定されない。例えば、温度差の大きさに基づいて、ダンパー３０の開度が３つ以上の開度に設定されてもよい。図５は、本発明の他の実施形態の空調システム１の処理手順（空調方法）の一例を示すフローチャートである。この実施形態において、これまでの実施形態と同一の構成については、同一の符号を付し、説明を省略することがある。
【００６９】
この実施形態空調システム（空調方法）では、ステップＳ２において、第２空間４の温度が目標温度になっていないと判断された場合（ステップＳ２で、「Ｎ」）、温度差の大きさに基づいて、ダンパー３０の開度が微調節される（微調節ステップＳ７）。図６は、微調節ステップＳ７の一例を示すフローチャートである。
【００７０】
この実施形態の微調節ステップＳ７では、先ず、温度差と、予め定められた閾値（第１閾値〜第４閾値）とが比較されて（ステップＳ７１）、ダンパー３０の開度が微調節される（ステップＳ７２〜Ｓ７５）。
【００７１】
ステップＳ７１において、温度差が第１閾値（本例では、−１℃）以上であり、かつ、第２閾値（本例では、０℃）未満である場合、ステップＳ３（図５に示す）での第２開度よりも大きい第３開度（例えば、３３％〜４３％）に設定される（ステップＳ７２）。一方、温度差が第２閾値（本例では、０℃）以上であり、かつ、第３閾値（本例では、１℃）未満である場合、第３開度よりも大きい第４開度（例えば、６２％〜６８％）に設定される（ステップＳ７３）。
【００７２】
ステップＳ７１において、温度差が第３閾値（本例では、１℃）以上であり、かつ、第４閾値（本例では、２℃）未満である場合、第４開度よりも大きい第５開度（例えば、６９％〜７３％）に設定される（ステップＳ７４）。一方、温度差が第４閾値（本例では、２℃）以上である場合、第５開度よりも大きい第１開度（本例では、９０％〜１００％）に設定される（ステップＳ７５）。
【００７３】
このように、この実施形態の微調節ステップＳ７では、温度差が大きくなるほど、ダンパー３０の開度が大きくすることができる。これにより、微調節ステップＳ７では、第２空間４への空調空気Ａ４の風量を増加させることができるため、第２空間４を効果的に空調することができる。一方、微調節ステップＳ７では、温度差が小さくなるほど、ダンパー３０の開度が小さくすることができる。これにより、微調節ステップＳ７では、第２空間４への空調空気Ａ４の風量を減少させることができるため、第２空間４への空調空気Ａ４の風量の減少分を、第１空間３への空調空気Ａ４の風量に充てることができる。したがって、この実施形態の空調システム（空調方法）１は、第１空間３及び第２空間４を効率よく空調することができる。
【００７４】
ところで、これまでの実施形態の空調システム１は、建物２の空調を開始してから第２空間４が目標温度になるまで、第１空間３の風量を増加させることができないため、第１空間３の空調に時間を要する場合がある。このため、第１空間３に居住者が滞在している場合には、第１空間３を迅速に空調することが望まれる。
【００７５】
第１空間３を迅速に空調するには、第１出口２４Ａ（図２に示す）の開口面積を大きくして、第１空間３への空調空気Ａ４の風量を大きくすることが有効である。しかしながら、第１出口２４Ａの開口面積が常に大きく設定されると、第２空間４を優先的に空調できなくなるという問題がある。このため、チャンバー１２は、第１出口２４Ａの開口面積を調節可能な開閉手段が含まれてもよい。図７は、本発明の他の実施形態のチャンバー１２を示す部分斜視図である。この実施形態において、これまでの実施形態と同一の構成については、同一の符号を付し、説明を省略することがある。
【００７６】
この実施形態のチャンバー１２は、開閉手段３６が取り外された状態（図示省略）において、第１出口２４Ａの開口面積が、これまでの実施形態の第１出口２４Ａの開口面積（図２に示す）よりも大きく設定されている。開閉手段３６は、少なくとも１枚の遮蔽部３７を含んでいる。この実施形態の遮蔽部３７は、板状に形成されており、第１出口２４Ａの開口面に沿って複数並べて配置されている。
【００７７】
各遮蔽部３７は、第１出口２４Ａの開口面３８に対して傾斜可能に配置されている。この実施形態では、水平軸回りに傾動可能に固定されている。これにより、本実施形態の開閉手段３６（複数の遮蔽部３７）は、ルーバーとして構成される。
【００７８】
この実施形態の開閉手段３６は、第１出口２４Ａの開口面３８と、遮蔽部３７との角度θ１を小さくすることで、第１出口２４Ａの少なくとも一部を覆う第１状態にすることができる。この第１状態において、第１出口２４Ａの開口面積が、これまでの実施形態の第１出口２４Ａの開口面積（図２に示す）と同一に設定されている。この第１状態では、これまでの実施形態と同様に、第２空間４（図１に示す）が目標温度になるまで、第２出口２４Ｂの風量を大きくすることができるため、第２空間４を優先的に空調することができる。
【００７９】
本明細書において、寸法等の「同一」には、製造上の軽微なバラツキ（誤差）等が許容されるものとする。また、この実施形態の第１出口２４Ａの開口面積は、隣接する遮蔽部３７、３７の離間距離Ｌ４と、第１出口２４Ａの幅方向の距離Ｌ５とを乗じて求められる面積の合計値として求められる。
【００８０】
一方、この実施形態の開閉手段３６（遮蔽部３７）は、第１出口２４Ａの開口面３８と、遮蔽部３７との角度θ１を大きくすることで、第１状態よりも第１出口２４Ａを露出させる第２状態（図示省略）にすることができる。この第２状態において、第１出口２４Ａの開口面積は、これまでの実施形態の第１出口２４Ａの開口面積（図２に示す）よりも大きく設定されている。この第２状態では、第２空間４（図１に示す）が目標温度になる前から、第１空間３（図１に示す）への風量を増加させることができるため、第１空間３を迅速に空調することができる。
【００８１】
開閉手段３６は、第１状態（図７に示す）と、第２状態（図示省略）とに切り替え可能に設定されている。第１状態と第２状態との切り替えは、居住者の手動によって行われてもよいし、制御装置３１からの信号に応じて切り替える駆動手段（図示省略）によって行われてもよい。
【００８２】
このような開閉手段３６は、第１状態（図７に示す）から第２状態（図示省略）に切り替えられることにより、例えば、空調システム１の起動直前まで空調されていなかった第１空間３を、迅速に空調することができる。一方、開閉手段３６が第２状態から第１状態に切り替えられることにより、これまでの実施形態と同様に、第２空間４を優先的に空調することができる。したがって、この実施形態の開閉手段３６は、居住者の要望に応じて、第１空間３及び第２空間４の温度を制御することが可能になる。
【００８３】
チャンバー１２は、開閉手段３６及びダンパー３０を全開したときに、少なくとも１つの第２出口２４Ｂの有効開口面積が、第１出口２４Ａの有効開口面積よりも小さくてもよい。なお、この実施形態のように、複数の第２出口２４Ｂ、２４Ｂが設けられている場合には、個々の第２出口２４Ｂ、２４Ｂの有効開口面積が、第１出口２４Ａの有効開口面積よりも小さく設定される。また、この実施形態において、開閉手段３６の全開とは、第２状態（図示省略）のことを示している。これにより、この実施形態の空調システム１は、第１空間３への空調空気Ａ４の風量を効果的に増加させることができる。
【００８４】
第１出口２４Ａが第１状態よりも覆われるのを防ぐために、遮蔽部３７が第１状態の角度θ１よりも小さく傾斜するのを防ぐストッパー（図示省略）が設けられてもよい。これにより、第１空間３への空調空気Ａ４の風量が、必要以上に小さくなるのを防ぐことができる。
【００８５】
これまでの実施形態の開閉手段３６は、第１出口２４Ａの開口面３８に対して傾斜可能な遮蔽部３７で構成される態様が例示されたが、このような態様に限定されない。図８は、本発明のさらに他の実施形態のチャンバー１２の一例を示す斜視図である。この実施形態において、これまでの実施形態と同一の構成については、同一の符号を付し、説明を省略することがある。
【００８６】
この実施形態の開閉手段３６は、第１出口２４Ａの開口面３８に沿ってスライド可能な遮蔽部３７で構成されている。この実施形態の遮蔽部３７は、第１出口２４Ａの上側に設けられた上レール部３９と、第１出口２４Ａの下側に設けられた下レール部４０とに案内されて、第１方向Ｄ１に沿ってスライド可能に構成されている。
【００８７】
このような開閉手段３６は、遮蔽部３７をスライドさせることにより、第１出口２４Ａの少なくとも一部を覆う第１状態（図８に示す）と、第１状態よりも第１出口２４Ａを露出させる第２状態（図示省略）とに切り替えることができる。
【００８８】
第１状態では、遮蔽部３７から露出している第１出口２４Ａの開口面積が、これまでの実施形態の第１出口２４Ａの開口面積（図２に示す）と同一に設定されている。これにより、第１状態では、これまでの実施形態と同様に、第２出口２４Ｂの風量を大きくすることができるため、第２空間４を優先的に空調することができる。
【００８９】
一方、第２状態（図示省略）では、第１出口２４Ａの開口面積が、これまでの実施形態の第１出口２４Ａの開口面積（図２に示す）よりも大きく設定されている。これにより、第２状態では、第１空間３の風量を増加させることができるため、第１空間３を迅速に空調することができる。第１状態と第２状態との切り替えは、例えば、遮蔽部３７に設けられた取手４１によって居住者が行ってもよいし、制御装置３１からの信号に応じて切り替え可能な駆動手段（図示省略）によって行ってもよい。
【００９０】
第１出口２４Ａが第１状態よりも覆われるのを防ぐために、上レール部３９及び下レール部４０は、第１状態の遮蔽部３７の位置で終端するのが望ましい。これにより、第１空間３への空調空気Ａ４の風量が小さくなるのを防ぐことができる。
【００９１】
以上、本発明の特に好ましい実施形態について詳述したが、本発明は図示の実施形態に限定されることなく、種々の態様に変形して実施しうる。
【実施例】
【００９２】
図１及び図２に示した基本構成を有する空調システムが、建物内に設置された（実施例）。実施例のチャンバーは、ダンパーを有することなく第１空間に連通する第１出口と、ダンパーを有する空気経路を介して第２空間と連通する第２出口とが設けられている。第２出口は、チャンバー内で空調空気が流れる第１方向の下流側の端部に設けられている。
【００９３】
比較のために、第１出口と第１空間との間を連通する空気経路、及び、第２出口と第２空間との間を連通する空気経路の双方に、ダンパーを設けた空調システムが、建物内に設置された（比較例１）。さらに、第１方向の下流側の端部に、第１出口、及び、第２出口の双方を設けた空調システムが、建物内に設置された（比較例２）。比較例２の第１出口は、実施例と同様に、ダンパーを有することなく第１空間に連通している。
【００９４】
実施例、比較例１及び比較例２の空調システムについて、建物内の空調（暖房）が行われた。なお、実施例の空調システムでは、図２の手順に基づいて、建物内の空調（暖房）が行われた。そして、第１空間（リビングルーム）及び第２空間（洗面所）の温度が測定され、それらの空間の温度を制御可能か否かが検証された。
【００９５】
図９（ａ）は、実施例の第１空間の温度と時間との関係を示すグラフであり、図９（ｂ）は、実施例の第２空間の温度と時間との関係を示すグラフである。図１０（ａ）は、比較例１の第１空間の温度と時間との関係を示すグラフであり、図１０（ｂ）は、比較例１の第２空間の温度と時間との関係を示すグラフである。図１１（ａ）は、比較例２の第１空間の温度と、時間との関係を示すグラフであり、図１１（ｂ）は、比較例２の第２空間の温度と、時間との関係を示すグラフである。
【００９６】
テストの結果、実施例は、第１出口が第１方向と交差する向きに空調空気を排出することができるため、第１方向に沿って排出する比較例２に比べて、第１空間への空調空気の風量が大きくなるのを防ぐことができた。これにより、実施例の第２空間の測定温度（図９（ｂ）に示す）は、比較例２の第２空間の測定温度（図１１（ｂ）に示す）に比べて、目標温度に近づけることができた。
【００９７】
さらに、実施例は、第２空間への空調空気の風量をダンパーで絞ることにより、その空調空気の風量の減少分を、第１空間への空調空気の風量に充てることができた。これにより、図９（ａ）に示されるように、実施例は、第１空間の測定温度を目標温度に近づけることができた。
【００９８】
このように、実施例（図９（ａ）、（ｂ）に示す）は、すべての空気経路にダンパーを設けた比較例１（図１０（ａ）、（ｂ）に示す）と同様に、建物内の空間の温度を制御することができた。一方、実施例は、比較例１に比べて、ダンパーの個数を減らすことができるため、空気搬送経路のイニシャルコストを６７％低減することができた。したがって、実施例は、イニシャルコストを低減しつつ、建物内の空間の温度を制御することができた。
【符号の説明】
【００９９】
１      空調システム
３      第１空間
４      第２空間
１２      チャンバー
２４Ａ    第１出口
２４Ｂ    第２出口
２８      空気経路
３０      ダンパー
【図１】
2020165606.tif 000003
【図２】
2020165606.tif 000004
【図３】
2020165606.tif 000005
【図４】
2020165606.tif 000006
【図５】
2020165606.tif 000007
【図６】
2020165606.tif 000008
【図７】
2020165606.tif 000009
【図８】
2020165606.tif 000010
【図９】
2020165606.tif 000011
【図１０】
2020165606.tif 000012
【図１１】
2020165606.tif 000013